(57)【要約】【課題】販促用の景品を店頭でのハンドリングの妨げにならない状態で一体化できるハンドキャリーを提供すること。【解決手段】一枚のブランク板を組み立てて形成され、把手部とその両サイドにそれぞれ収納部を備えてなるハンドキャリーＣであって、各収納部にはそれぞれ所定数の収納スペースが設けられており、それらの収納スペースのうちの少なくとも一つが瓶よりも大きなサイズの景品収納用スペースＳａで、残りが瓶収納用スペースＳｂである。景品収納用スペースＳａに逆台形状の景品箱をセットし、景品箱の中にその景品箱のテーパーと同様のテーパーが付いたグラスを収納するとよい。従来のようにレジで景品を手渡すような手間がかからず、また両面テープで貼り付けた場合のように店頭でのハンドリングの妨げになるようなことがない。【選択図】図４
2005162251.tif 000002
【特許請求の範囲】
【請求項１】
一枚のブランク板を組み立てて形成され、把手部とその両サイドにそれぞれ収納部を備えてなるハンドキャリーであって、各収納部にはそれぞれ所定数の収納スペースが設けられており、それらの収納スペースのうちの少なくとも一つが瓶よりも大きなサイズの景品収納用スペースで、残りが瓶収納用スペースであることを特徴とするハンドキャリー。
【請求項２】
景品収納用スペースに逆台形状の景品箱をセットすることを特徴とする請求項１に記載のハンドキャリー。
【請求項３】
景品箱の中にその景品箱のテーパーと同様のテーパーが付いたグラスを収納することを特徴とする請求項２に記載のハンドキャリー。
【発明の詳細な説明】
【技術分野】
【０００１】
本発明は、ビールやジュースなどの飲料が入った飲料用瓶を複数本収納して販売するためのハンドキャリーに関するものである。
【背景技術】
【０００２】
従来より、ビールやジュースなどの飲料が入った飲料用缶や飲料用瓶を店頭で販売するに際し、まとめ買いの便宜を図るため、把手部の両サイドに所定数の缶や瓶を入れる収納部を形成した板紙製のケースが用いられている。このタイプのケースは、偶数本の飲料用缶や飲料用瓶を把手部の左右に振り分けて収納し、把手部を手で持って運べるようにしたもので、ハンドキャリーとも呼ばれている。
【特許文献１】実開平５−８９２２３号公報
【特許文献２】特開２００３−３００５５４号公報
【発明の開示】
【発明が解決しようとする課題】
【０００３】
ところで、店頭での販促手段として、当該商品に景品を付けることがよく行われれているが、上記したようなハンドキャリーを用いたものを販促する場合は、景品を商品購入時にレジでお客さんに直接手渡ししたり、或いは、景品をハンドキャリーの適当な部位に両面テープで貼り付けたりしている。しかしながら、レジで景品を手渡しするには作業が煩雑でレジ担当者に負担がかかるという問題があり、また、ハンドキャリーに景品を両面テープで貼り付けると、特に大きな景品の場合には陳列棚への出し入れなど店頭におけるハンドリングの妨げになるという問題が生じる。
【０００４】
本発明は、このような事情に鑑みてなされたものであり、その目的とするところは、飲料用瓶を収納するタイプであって、販促用の景品を店頭でのハンドリングの妨げにならない状態で一体化できるハンドキャリーを提供することにある。
【課題を解決するための手段】
【０００５】
上記の目的を達成するため、本発明のハンドキャリーは、一枚のブランク板を組み立てて形成され、把手部とその両サイドにそれぞれ収納部を備えてなるハンドキャリーであって、各収納部にはそれぞれ所定数の収納スペースが設けられており、それらの収納スペースのうちの少なくとも一つが瓶よりも大きなサイズの景品収納用スペースで、残りが瓶収納用スペースであることを特徴としている。
【０００６】
そして、景品収納用スペースに逆台形状の景品箱をセットするようになっていることが好ましく、さらに、景品箱の中にその景品箱のテーパーと同様のテーパーが付いたグラスを収納するようになっていることが好ましい。
【発明の効果】
【０００７】
本発明のハンドキャリーは、瓶用収納スペースよりも大きな景品収納用スペースを備えているので、瓶用収納スペースに飲料用瓶を入れるとともに、景品収納用スペースに収まるように所望の景品を入れた状態で店頭での販売に供することにより、従来のようにレジで景品を手渡すような手間がかからず、また両面テープで貼り付けた場合のように店頭でのハンドリングの妨げになるようなことがない。また、景品がハンドキャリーからはみ出ることもなく、景品に重量物を入れることも可能である。
【０００８】
また、景品収納用スペースに逆台形状の景品箱をセットするようにしたので、隣接する飲料用瓶における首部付近のカーブに景品箱のテーパーが沿うこととなり、景品箱の上部が飲料用瓶の首部上方に入り込むようにして配置が可能なことから、全体的にコンパクトな設計が可能となり、店頭での陳列スペースを小さくできる。
【０００９】
また、景品箱の中にその景品箱のテーパーと同様のテーパーが付いたグラスを収納することにより、飲料にグラスという具合に景品が商品とマッチしたものとなり、そのグラスを使用して商品の飲料を飲むことができる。
【発明を実施するための最良の形態】
【００１０】
図１は本発明に係るハンドキャリーを組み立てるブランク板の展開図、図２は図１のブランク板をサック貼りした状態で示す平面図、図３は図２の反対側を示す平面図、図４は組み立てた状態のハンドキャリーを示す斜視図であり、ここに挙げたハンドキャリーは本発明の一例であって、プレミアムビールが入ったワンウェイ小瓶（３３０ｍｌ）を３本収納し、景品として箱入りのグラスを１つ付けるように構成したものである。
【００１１】
図１のブランク板Ｂ1 は、腰のある板紙を打ち抜いて作製されたもので、同図に示されるように、中央の折線ａを介して連設された２枚の把手パネル１，２を有している。これらの把手パネル１，２には、折線ａに関して対称位置に横長状の把持孔１ａ，２ａが設けられていており、またこの把持孔１ａ，２ａには、手で持つ際に持ちやすくするため、折線を介して一部が内側に膨らんだ凸部１ｂ，２ｂが設けられている。なお、板紙としては、冷蔵しても強度が落ちにくい腰のある板紙を用いるのが好ましい。
【００１２】
ブランク板Ｂ1 における一方の把手パネル１には、円形孔３ａの空いた受入パネル３と細幅の保持パネル４とが折線ｂを介して連設され、それらの間には受入パネル３に折線ｃを介して連設した変形四角状の仕切りパネル５が切込形成されている。この円形孔３ａは、受入パネル３が傾斜状態になった時に上から見て正円形となるように楕円状に形成されている。さらに、受入パネル３と保持パネル４には、上側面パネル６、下側面パネル７、底面パネル８及び内面パネル９が順に折線ｄ，ｅ，ｆ，ｇを介して連設されている。そして、下側面パネル７には、折線ｆに沿って細長い矩形状の開口７ａが設けられており、この開口７ａは受入パネル３と保持パネル４との間に対応する位置に形成されている。
【００１３】
ブランク板Ｂ1 における他方の把手パネル２には、２つの円形孔１０ａ，１０ｂの空いた受入パネル１０が折線ｈを介して連設され、さらにその受入パネル１０には、上側面パネル１１、下側面パネル１２、底面パネル１３及び内面パネル１４が順に折線ｈ，ｉ，ｊ，ｋ，ｌを介して連設されている。これらの円形孔１０ａ，１０ｂも、受入パネル１０が傾斜状態になった時に上から見て正円形となるように楕円状に形成されている。そして、下側面パネル１２には、底面パネル１３の一部が突き出るようにして三日月状の開口１２ａ，１２ｂが設けられており、これらの開口１２ａ，１２ｂは受入パネル１０の円形孔１０ａ，１０ｂに対応する位置に形成されている。また、内面パネル１４には、折線ｉに関して把手パネル２の把持孔２ａと対称位置に横長の打抜孔１４ａが形成されている。
【００１４】
図１のブランク板Ｂ1 は、図２及び図３に示す状態にサック貼りして出荷される。すなわち、把手パネル１，２の内面側の所定箇所に糊付けを行い、下側面パネル７と底面パネル８の間の折線ｆのところと、下側面パネル１２と底面パネル１３の間の折線ｋのところで、それぞれブランク板Ｂを内側に折り返して貼り合わせた後、さらに内面パネル９，１４の所定箇所に糊付けを行い、中央の折線ａのところで折り曲げて貼り合わせることにより、図２及び図３に示す折畳み状態にする。この場合、この把手パネル１，２に対応するところだけを糊付けして貼り合わせるようにする。なお、内面パネル１４の打抜孔１４ａは、把持パネル１，２の把持孔１ａ，２ａと重なる。このサック貼り工程は一般的な製函機により行うことができる。
【００１５】
このようにサック貼りした状態のハンドキャリーは、店頭で陳列する時に図４の状態に組み立てられる。この場合、把手パネル１，２のところを手で持ち、もう一方の手で反対側を押すことで、簡単に起こすことができる。そして、このように起こしてから、仕切りパネル５を折線ｃのところで直角に下方に曲げて立てることにより、図４に示す起函状態にすることができる。
【００１６】
このように組み立てられたハンドキャリーＣは、把手パネル１，２からなる把持部の両サイドにそれぞれ２個の収納部を備えたものとなる。そして、そのうちの１個の収納部が上部に大きな矩形状の開口のある景品収納スペースＳａとなり、残り３個の収納部が上部に円形孔３ａ，１０ａ，１０ｂを有する瓶収納用スペースＳｂとなる。
【００１７】
このようにハンドキャリーＣを組み立てた後、図５に示すように、３つの瓶収納用スペースＳｂにそれぞれワンウェイ小瓶Ａを入れるとともに、景品収納スペースＳａには逆台形状の景品箱Ｋをセットする。この時、景品箱Ｋはその下部が下側面パネル７の開口７ａに嵌まり込んだ状態にする。すると、隣接するワンウェイ小瓶Ａにおける首部付近のカーブに景品箱Ｋのテーパーが沿った状態となり、景品箱Ｋの上部がワンウェイ小瓶Ａの首部上方に入り込むようにして配置される。したがって、図５に示す収納状態のハンドキャリーは全体的にコンパクトであり、店頭での陳列スペースが小さくて済む。また、底部の両サイドに傾斜した下側面パネル７，１２を有しているため、横から見たときの対角線の長さが短く、陳列棚に入れやすいものになっている。なお、ここで使用した景品箱は、板紙に例えばコートボール（３５０ｇ／ｍ2 ）を用いており、図６にそのブランク板Ｂ2 の展開図を示すように、底部にオートロック構造を有する普通の折畳み箱である。
【００１８】
そして、景品箱Ｋの中には、景品箱Ｋのテーパーと同様のテーパーが付いた図７に示す如き間口の広いパイントグラスＧが収納してある。この景品としてのパイントグラスＧは、ワンウェイ小瓶Ａのビール１本分がまるまる注げる専用グラスであり、広い間口によりプレミアムビールに相応しい芳醇な香りが楽しめるともに、ダークブラウンの液色とクリーミーな泡の美しいコントラストも楽しむことができるようになっている。
【００１９】
なお、上記の例では、景品としてグラスを付けるようにしたが、グラス以外のものでもよく、例えば、コースター、ランチョンマット等を付けるようにしても構わない。その場合、景品の形状に合わせて景品箱の形状を工夫することは言うまでもない。
【００２０】
以上、具体例を挙げて本発明について説明してきたが、本発明のハンドキャリーは、上記した実施の形態に何ら限定されるものではなく、本発明の趣旨を逸脱しない範囲において種々の変更が可能であることは当然のことである。
【図面の簡単な説明】
【００２１】
【図１】本発明に係るハンドキャリーを組み立てるブランク板の展開図である。
【図２】図１のブランク板をサック貼りした状態で示す平面図である。
【図３】図２の反対側を示す平面図である。
【図４】組み立てた状態のハンドキャリーを示す斜視図である。
【図５】収納状態で示すハンドキャリーの斜視図である。
【図６】景品箱を構成するブランク板の展開図である。
【図７】景品箱の中に入れるグラスの斜視図である。
【符号の説明】
【００２２】
Ａ  ワンウェイ瓶
Ｂ1 ，Ｂ2   ブランク板
Ｃ  ハンドキャリー
Ｇ  パイントグラス
Ｋ  景品箱
Ｓａ  景品用収納スペース
Ｓｂ  瓶用収納スペース
１，２  把手パネル
１ａ，２ａ  把持孔
１ｂ，２ｂ  凸部
３  受入パネル
３ａ  円形孔
４  保持パネル
５  仕切りパネル
６  上側面パネル
７  下側面パネル
７ａ  開口
８  底面パネル
９  内面パネル
１０  受入パネル
１０ａ，１０ｂ  円形孔
１１  上側面パネル
１２  下側面パネル
１２ａ，１２ｂ  開口
１３  底面パネル
１４  内面パネル
１４ａ  打抜孔
ａ〜ｌ  折線
【図１】
2005162251.tif 000003
【図２】
2005162251.tif 000004
【図３】
2005162251.tif 000005
【図４】
2005162251.tif 000006
【図５】
2005162251.tif 000007
【図６】
2005162251.tif 000008
【図７】
2005162251.tif 000009